(57)【要約】【課題】所望の放送局や番組を覚えることが容易に、しかも短時間で選択操作を行い得るＡＶ装置の制御システム及び制御方法を提供する。【解決手段】表示画面に表示された見出し語情報の中から所望の見出し語情報を指定し、指定された見出し語情報に対応する全チャネルを検出し、検出された全チャネルを表示画面にザッピングにより表示してザッピングによる表示画面から任意のチャネルを選択する。または、ザッピング選択モードを指定し、ザッピングモードに従って表示画面に全チャネルをザッピングにより表示させてザッピングによる表示画面から任意のチャネルを選択する。さらに、操作部として、キー入力、音声認識、身振り手振りの検出、表情の検出のうちの少なくとも一つを含み、リモートコントロール装置で構成する。【選択図】図２
2006320004.tif 000002
【特許請求の範囲】
【請求項１】
外部から供給される複数チャネルの音楽放送信号を受信する受信部と、
前記受信部により受信された音楽放送信号の音声を再生するオーディオ部と、
前記オーディオ部を制御して表示画面を操作するディスプレイプロセッサと、
チャネル選択のための指定信号や表示画面の操作信号を入力するための操作部と、
前記受信部からの番組に付随する所定の見出し語情報を前記ディスプレイプロセッサに供給して表示画面に表示させるとともに前記操作部からの入力に基づいて前記受信部を制御してチャネル表示をザッピング制御し、かつ任意のチャネルを選択する制御手段とを備えたＡＶ装置の制御システムであって、
前記制御手段が、
前記受信部からの前記見出し語情報を入力して前記ディスプレイプロセッサに供給する見出し語情報設定部と、
前記操作部から指定される見出し語情報を認識し、この見出し語情報に対応する全チャネルを前記見出し語情報設定部に入力された見出し語情報と照合して検出するチャネル検出手段と、
前記チャネル検出手段により検出された全チャネルをザッピングにより順次切り換え表示させ、前記操作部からのチャネル選択を確定する指定信号を前記チャネル検出手段を介して入力し、対応するチャネルを選択表示させるチャネル選択手段と、
を備えたことを特徴とするＡＶ装置の制御システム。
【請求項２】
請求項１に記載のＡＶ装置の制御システムにおいて、前記見出し語情報は前記番組のサブヘッダに記録されていることを特徴とするＡＶ装置の制御システム。
【請求項３】
外部から供給される複数チャネルの音楽放送信号を受信して表示画面に番組に付随する所定の見出し語情報を表示させて当該表示画面から任意のチャネルを選択するＡＶ装置の制御方法であって、
表示画面に表示された見出し語情報の中から所望の見出し語情報を指定する見出し語情報指定ステップと、
指定された見出し語情報に対応する全チャネルを検出するチャネル検出ステップと、
検出された全チャネルをザッピングにより順次切り換え表示するザッピング表示ステップと、
ザッピングによる表示画面から任意のチャネルを選択するチャネル選択ステップと、
を有することを特徴とするＡＶ装置の制御方法。
【請求項４】
請求項３に記載のＡＶ装置の制御方法において、前記チャネル選択ステップは、音声認識又はジェスチャ若しくは表情の検出により前記任意のチャネルを選択することを特徴とするＡＶ装置の制御方法。
【発明の詳細な説明】
【技術分野】
【０００１】
本発明は、ＡＶ装置の制御システム及び制御方法に関し、例えばテレビの画面を制御する技術に関する。
【背景技術】
【０００２】
従来からＡＶ装置の制御は様々な方法で行われているが、例えば希望するチャネルを選択するためにはチャネル選択回路が設けられ、ユーザはこのチャネル選択回路を操作して希望するチャネルを選択していた。しかし、ケーブルＴＶや衛星放送の普及によりチャネル数が増え、どのチャネルが所望の放送局・番組であるかを覚えることが困難になる。
【発明の開示】
【発明が解決しようとする課題】
【０００３】
すなわち、ケーブルＴＶや衛星放送の普及によりチャネル数が増え、どのチャネルが所望の放送局・番組であるかを覚えることが困難になり、いち早く所望の番組を見つけるためのより快適な選択操作方法の開発が期待されている。
本発明は上述した点に鑑みてなされたもので、所望の放送局や番組を覚えることが容易に、しかも短時間で選択操作を行い得るＡＶ装置の制御システム及び制御方法を提供するものである。
【課題を解決するための手段】
【０００４】
本発明は、上記の課題を解決するために、
［１］  外部から供給される複数チャネルの音楽放送信号を受信する受信部と、
前記受信部により受信された音楽放送信号の音声を再生するオーディオ部と、
前記オーディオ部を制御して表示画面を操作するディスプレイプロセッサと、
チャネル選択のための指定信号や表示画面の操作信号を入力するための操作部と、
前記受信部からの番組に付随する所定の見出し語情報を前記ディスプレイプロセッサに供給して表示画面に表示させるとともに前記操作部からの入力に基づいて前記受信部を制御してチャネル表示をザッピング制御し、かつ任意のチャネルを選択する制御手段とを備えたＡＶ装置の制御システムであって、
前記制御手段が、
前記受信部からの前記見出し語情報を入力して前記ディスプレイプロセッサに供給する見出し語情報設定部と、
前記操作部から指定される見出し語情報を認識し、この見出し語情報に対応する全チャネルを前記見出し語情報設定部に入力された見出し語情報と照合して検出するチャネル検出手段と、
前記チャネル検出手段により検出された全チャネルをザッピングにより順次切り換え表示させ、前記操作部からのチャネル選択を確定する指定信号を前記チャネル検出手段を介して入力し、対応するチャネルを選択表示させるチャネル選択手段と、
を備えたことを特徴とするＡＶ装置の制御システム
を提供し、
［２］  上記［１］に記載のＡＶ装置の制御システムにおいて、前記見出し語情報は前記番組のサブヘッダに記録されていることを特徴とするＡＶ装置の制御システム
を提供し、
［３］  外部から供給される複数チャネルの音楽放送信号を受信して表示画面に番組に付随する所定の見出し語情報を表示させて当該表示画面から任意のチャネルを選択するＡＶ装置の制御方法であって、
表示画面に表示された見出し語情報の中から所望の見出し語情報を指定する見出し語情報指定ステップと、
指定された見出し語情報に対応する全チャネルを検出するチャネル検出ステップと、
検出された全チャネルをザッピングにより順次切り換え表示するザッピング表示ステップと、
ザッピングによる表示画面から任意のチャネルを選択するチャネル選択ステップと、
を有することを特徴とするＡＶ装置の制御方法
を提供し、
［４］  上記［３］に記載のＡＶ装置の制御方法において、前記チャネル選択ステップは、音声認識又はジェスチャ若しくは表情の検出により前記任意のチャネルを選択することを特徴とするＡＶ装置の制御方法
を提供するものである。
【０００５】
なお、ザッピング（ｚａｐｐｉｎｇ）とは英語で「急に動かす」ことを意味するが、放送や、画像表示の分野では、「短期間でのす早いチャネル切換えによる表示を所定時間継続して行うこと」を意味する。
【０００６】
また、前記操作部は、キー入力、音声認識、身振り手振りの検出、表情の検出のうちの少なくとも一つを含むことを特徴とするものである。
【０００７】
また、前記操作部は、本体から分離されたリモートコントロール装置で構成され、上記制御手段は、前記リモートコントロール装置からの信号を受信する受信部を有することを特徴とするものである。
【発明の効果】
【０００８】
本発明によれば、ザッピングを用いることにより、ケーブルＴＶや衛星放送の普及によりチャネル数が増えたとしても、どのチャネルが所望の放送局・番組であるかを覚えることなく、快適な選択操作により容易に、しかも短時間で選択操作を行い得る。また、見出し語を用いてチャネル選択の選択制御が音声・身振り手振り・表情を利用して行えるようにしたため、子どもからお年寄りまでだれもが安心して使える制御装置を提供できるものである。また、ザッピングのグループを指定できるので、いくつかの番組を同時に楽しむことができる。
【発明を実施するための最良の形態】
【０００９】
＜第１の実施の形態＞
図１は本発明の第１の実施の形態に適用されるＡＶ装置の制御システム及び制御方法を説明するためのブロック図である。図１に示すように、宅内に設置されたＣＡＴＶのターミナル１からケーブル２を介して分岐部３に供給されたテレビ信号は、受信部５に入力され、ビデオ部６で映像を再生するとともに、オーディオ部７で音声を再生する。制御手段９は、例えばリモコン装置で構成された操作部１０からの操作入力を受け、受信部５のチャネル・音声レベル・サラウンドモードなどを制御するようになされている。また、ディスプレイプロセッサ８は、制御手段９から見出し語情報が供給され、ビデオ部６により、所定の画像を表示するようになっている。
【００１０】
ここで、制御手段９は、図２に示す構成を備えており、見出し語情報設定部９Ａには、受信部５からのチャネル情報などの固定見出し語と、放送信号から得られる流動見出し語が供給される。流動見出し語は、番組に付随するジャンル、題名、キーワードなどであり、例えばＥＩＡ（Ｅｌｅｃｔｒｏｎｉｃ  Ｉｎｄｕｓｔｒｉｅｓ  Ａｓｓｏｃｉａｔｉｏｎ）−６０８−Ａ規格により番組のサブヘッダに記録されたものを用いる。これらは、番組の内容に応じて時々刻々変動するので流動と称する。そして、これらの見出し語を用いて画像（メニュー）を設定し表示させる。図３はその見出し語情報に基づいて表示される画像を示す。
【００１１】
一方、ユーザが、見出し語情報設定部９Ａの設定した図３に示す如く画像を見ながら、例えば、操作部１０に向かって「リラックス」と叫ぶと、操作部１０はこれを音声認識し、チャネル検出手段９Ｂは、「リラックス」の認識信号を入力して、見出し語情報設定部９Ａと照合して、それに該当するチャネルとして、ｃｈ６１（ａ１）、ｃｈ６２（ａ２）、ｃｈ６３（ａ３）、ｃｈ７８（ａ４）、ｃｈ８８（ａ５）、ｃｈ９２、ｃｈ１００、ｃｈ１２２、ｃｈ１４５、ｃｈ１６６、ｃｈ１７７、ｃｈ１７９及びｃｈ１８０（ａｎ）をザッピングにより次々に切り換え表示する。この場合、ｃｈ当り約１〜２秒により表示できる。
【００１２】
そこで、ｃｈ１２２（ａｉ）において、ユーザが身振り（ジェスチャ）でＯＫを示すと、操作部１０は、ｃｈ１２２であることを認識し、制御手段９はｃｈ１２２を選択する。なお、身振りによる制御については、論文：ニキール・ジャイアント著「声とジェスチャーによる人と機械の相互作用」（Ｎｉｋｉｒ  Ｊａｙａｎｔ；ＨｕｍａｎＭａｃｈｉｎｅ  Ｉｎｔｅｒａｃｔｉｏｎ  ｂｙ  Ｖｏｉｃｅ  ａｎｄ  Ｇｅｓｔｕｒｅ）ｐｐ．１７５−１７７、ＩＥＥＥ、ＩＣＣＡＳＰ、Ｖｏｌ．１、１９９７に記載されるように、一般に複数の語彙に対応した指の形を規定しておいて、そのどの指の形であるかを画像認識により判別することによって行われる。この実施の形態では、図４（Ａ）に示すように、ＯＫは、例えば親指と人差し指を丸めるもののように、指で丸を形成するものと規定できる。ＯＫでないものは図４（Ｂ）に示すようなものが一例である。
【００１３】
一方、操作部１０に向かって「ゴルフ」と叫ぶと、操作部１０はこれを音声認識し、チャネル検出手段９Ｂは、ゴルフの音声認識信号を入力して、見出し語情報設定部９Ａと照合して、それに該当するｃｈ６０（ゴルフ専用チャネル＝ｂ１）をインポーズ画面（この場合、４分割サイズにより左上に表示する）により表示するとともに、ほかでゴルフ番組を放送していればその番組（ｂ２，・・・，ｂｎ）もザッピングで表示する。そこで、操作部１０に向かって「これ！」又は「ＯＫ」と叫ぶか、確定のボタンを押すと、決定されたｃｈ６０又は他のゴルフ番組が１画面により表示される。なお、この見出し画面は、操作部１０からいつでも呼び出すことができる。
【００１４】
図５は制御手段９の動作を説明するフローチャートである。以下、この図５に示すフローチャートを参照して制御手段９の動作を説明する。まず、受信部５より固定及び流動の見出し語情報を見出し語情報設定部９Ａに入力し（ステップＳ１）、見出し語情報設定部９Ａの固定及び流動の見出し語情報をディスプレイプロセッサ８に供給する（ステップＳ２）。次に、操作部１０から音声信号を含む指定信号を入力すると（ステップＳ３）、チャネル検出手段９Ｂにおいて見出し語情報設定部９Ａの見出し語情報と比較して、チャネルグループを検出し（ステップＳ４）、そのチャネル（１又は複数）を選択すべくチャネル選択手段９Ｃをザッピング駆動する（ステップＳ５）ことにより終了する。
【００１５】
なお、ステップＳ５の最中に操作部１０から「ＯＫ」指示があればザッピング中のチャネルが選択されてそれで終了するが、なければ続けて繰り返し、それ以外の指示があれば再度、図５のフローチャートに従って動作させる。また、ステップＳ１で見出し語が多い場合は、ステップＳ２ですべてを表示できないので、ステップＳ３でスクロールなどの指示があれば画面を変更するようにすることができる。操作部１０は、キー入力、音声認識、身振り手振りの検出、表情の検出、のうちの少なくとも一つを含むものとして構成される。
【００１６】
＜第２の実施の形態＞
上述した第１の実施の形態では、表示画面に表示された見出し語情報の中から所望の見出し語情報を指定し、指定された見出し語情報に対応する全チャネルを検出し、検出された全チャネルを表示画面にザッピングにより表示させて、ザッピングによる表示画面から任意のチャネルを選択する制御システム及び制御方法について述べたが、第２の実施の形態では、画面操作モードとして見出し語情報によりザッピング選択モードを指定し、ザッピング選択モードに従って表示画面に全チャネルをザッピングにより表示し、ザッピングによる表示画面から任意のチャネルを選択する制御システム及び制御方法について述べる。
【００１７】
図６は図１に示す第１の実施の形態に対応する第２の実施の形態に係るブロック図を示し、図７はこのブロック図中の制御手段９を詳しく示すブロック図を示し、図８は説明に供する画面の一例を示し、図９は制御手段９によるザッピング表示例を示し、さらに、図１０は制御手段９の動作を説明するフローチャートを示す。
【００１８】
図６において、宅内に設置された衛星放送及び地上波放送の複合ターミナル１からケーブル２を介して分岐部３に供給されたテレビ信号／音楽放送信号は受信部５に入力され、テレビ信号はビデオ部６で映像を再生し、オーディオ部７で音声を再生し、音楽放送信号はオーディオ部７で音声を再生する。制御手段９は、操作部１０からの操作入力に基づいて受信部５の画面モード・チャネル・音声レベル・サラウンドモードなどを制御するために設けられている。ディスプレイプロセッサ８は、制御手段９の見出し語情報を供給されビデオ部６により、例えば図８に示すような画像を表示する。また、制御手段９は、画面操作に用いられる情報をバックアップメモリ１１に格納し、画面操作のイニシャライズに用いるようになっている。
【００１９】
ここで、制御手段９は、図７に示す構成を備えており、図２に示す第１の実施の形態と異なる点は、チャネル検出手段９Ｂの代わりに画面操作検出手段９Ｄが設けられ、チャネル選択手段９Ｃの代わりに画面操作手段９Ｅが設けられて、画面操作検出手段９Ｄにより、操作部１０からの画面操作信号を認識し、見出し語情報設定部９Ａの見出し語情報と照合してザッピングモード選択を検出するようになされ、また、画面操作手段９Ｅにより、画面操作検出手段９Ｄにより検出されたザッピングモード選択信号に基づいて見出し語情報設定部９Ａにより設定される表示画面の全チャネルをザッピングにより切り換え、表示させ、操作部１０からのチャネル選択を確定する指定信号を画面操作検出手段９Ｄを介して入力して対応するチャネルに表示させるようになされている。
【００２０】
上記構成において、受信部５はチャネル情報などの固定見出し語と、放送信号から得られる流動見出し語を見出し語情報設定部９Ａに供給する。そして、これらの見出し語情報を用いて画像を設定し表示させる。一方、ユーザは図８に示す見出し語情報設定部９Ａの設定した画像を見ながら、例えば、操作部１０に向かって「ザッピング」と叫ぶと、操作部１０はこれを認識し、画面操作手段９Ｄはザッピングの認識情報を入力して、見出し語情報設定部９Ａと照合して、そこに表示されている画像の左の放送局の全ｃｈの切換えをランダムの順序で２秒ごとに実行する。その１つに操作部１０に向かって「ＯＫ」と叫ぶか、満足の表情（笑顔）を示すと、そのｃｈが決定され固定されて再生される。
【００２１】
図９（Ａ）は、ザッピングにより全チャネル（ａ１，ａ２，・・・，ａｉ，・・・，ａｎ）が切り換えられ、そのうち、チャネルａｉが決定される状態を示している。なお、この見出し画面は、地上局＋ＢＳ＋ＣＳ、衛星デジタルなど、いくつかのパターンがあり、操作部１０からいつでもそのパターンを自由に呼び出すことができる。例えば衛星デジタルの場合は図９（Ｂ）である。
【００２２】
次に、制御手段９の動作を図１０に示すフローチャートにより説明する。受信部５より固定及び流動の見出し語情報を見出し語情報設定部９Ａに入力し（ステップＳ１１）、見出し語情報設定部９Ａの固定及び流動の見出し語情報をディスプレイプロセッサ８に供給し（ステップＳ１２）、次に、操作部１０から画面操作モードの指定信号（音声信号を含む）を入力（ステップＳ１３）。画面操作検出手段９Ｄにおいては見出し語情報設定部９Ａの見出し語情報と照合比較して、ザッピングモードを検出し（ステップＳ１４）、そのモード（１又は複数）を実行すべく画面操作手段９Ｅを駆動する（ステップＳ１５）ことにより終了する。
【００２３】
なお、ステップＳ１５の最中に操作部１０から「ＯＫ」指示があればそれで終了するが、それ以外の指示があれば再度、図１０のフローチャートに従って動作させる。なお、ステップＳ１１で見出し語が多い場合は、ステップＳ１２ですべてを表示できないので、ステップＳ１３でスクロールなどの指示があれば画面を変更するようにすることができる。また、ザッピングモードでない場合は、ｃｈ指定によりｃｈ選択される。操作部１０は、キー入力、音声認識、身振り手振りの検出、表情の検出、のうちの少なくとも一つを含むものとして構成される。
【００２４】
＜第３の実施の形態＞
この第３の実施の形態では、操作部１０がリモートコントロール装置で構成された場合を説明する。図１１にリモートコントロール装置１２の外観を示す。図１１において、１３はスイッチ群、１４は表情を検出するカメラ、１５は音声を集音するマイク、１６は身振り手振り認識及び表情認識が可能であることを表示する表示部、１７は音声認識が可能であることを表示する表示部、１８はインジケータを示し、このリモートコントロール装置１２は傾きと加速を検出する手段を有し、身振り手振りのパターンと方向により選択すべきメニューを検出し、確認を取ってからインジケータ１８でメニューの設定を示す。
【００２５】
図１２は操作部１０としてのリモートコントロール装置１２のシステムフローチャートである。ステップＳ２０でスイッチ群１３による入力モードを選択し、例えば音声認識モードであればステップＳ２１により音声認識による指定信号を決定し、身振り手振り認識モードであればステップＳ２２により身振り手振り認識による指定信号を決定し、表情認識モードであればステップＳ２３により表情認識による指定信号を決定する。そして、ステップＳ２４により、指定信号の決定がなされた場合は、その表示と、例えば赤外線信号を用いる方法などにより制御手段９に対する設定が行われる。
【図面の簡単な説明】
【００２６】
【図１】本発明の第１の実施の形態に適用されるＡＶ装置の制御システムを示すブロック図である。
【図２】図１に示す制御手段９の内部ブロック図である。
【図３】図２の見出し語情報設定部９Ａにより設定される画像を示す説明図である。
【図４】第１の実施の形態の説明に用いる手振りで認識する画像の例を示す図である。
【図５】図１に示す制御手段９の動作を説明するフローチャートである。
【図６】本発明の第２の実施の形態に適用されるＡＶ装置の制御システムを示すブロック図である。
【図７】図６に示す制御手段９の内部ブロック図である。
【図８】図７の見出し語情報設定部９Ａにより設定される画像を示す説明図である。
【図９】第２の実施の形態に適用されるザッピング例を示す説明図である。
【図１０】図６に示す制御手段９の動作を説明するフローチャートである。
【図１１】本発明の第３の実施の形態に適用される操作手段の外観図である。
【図１２】図１１の動作を説明するフローチャートである。
【符号の説明】
【００２７】
５  受信部
６  ビデオ部
８  ディスプレイプロセッサ
９  制御手段
１０  操作部
９Ａ  見出し語情報設定部
９Ｂ  チャネル検出手段
９Ｃ  チャネル選択手段
９Ｄ  画面操作検出手段
９Ｅ  画面操作手段
１２  リモートコントロール装置
Ｓ３，Ｓ１３  見出し語情報指定ステップ
Ｓ４  チャネル検出ステップ
Ｓ５  ザッピング表示ステップとチャネル選択ステップ
Ｓ１４  選択モード検出ステップ
Ｓ１５  ザッピング表示ステップと画面操作ステップ
【図１】
2006320004.tif 000003
【図２】
2006320004.tif 000004
【図３】
2006320004.tif 000005
【図４】
2006320004.tif 000006
【図５】
2006320004.tif 000007
【図６】
2006320004.tif 000008
【図７】
2006320004.tif 000009
【図８】
2006320004.tif 000010
【図９】
2006320004.tif 000011
【図１０】
2006320004.tif 000012
【図１１】
2006320004.tif 000013
【図１２】
2006320004.tif 000014